(57)【特許請求の範囲】
【請求項１】
コンテンツ種類毎に、自装置の動きに対応するコンテンツの再生方法を記憶する記憶手段と、
ユーザ操作によって再生させるコンテンツの種類を受け付ける再生コンテンツ種類受付手段と、
自装置の動きを検知する動き検知手段と、
前記再生コンテンツ種類受付手段によって受け付けられたコンテンツの種類および前記動き検知手段によって検知された自装置の動きに基づいて、前記記憶手段に記憶されているコンテンツの再生方法を判定する判定手段と、
前記再生コンテンツ種類受付手段によって受け付けられたコンテンツの種類に属するコンテンツを、前記判定手段によって判定されたコンテンツの再生方法で再生する再生手段とを備える、コンテンツ記憶再生装置。
【請求項２】
前記記憶手段は、自装置の動きに対応するコンテンツが属するジャンルを記憶しており、
前記判定手段は、前記動き検知手段によって検知された自装置の動きに基づいて、前記記憶手段に記憶されているジャンルを判定し、
前記再生手段は、前記再生コンテンツ種類受付手段によって受け付けられたコンテンツの種類に属するコンテンツのうち、前記判定手段によって判定されたジャンルに属するコンテンツを再生することを特徴とする、請求項１に記載のコンテンツ記憶再生装置。
【請求項３】
前記自装置の動きは、動き方向および／または動きのテンポであることを特徴とする、請求項１に記載のコンテンツ記憶再生装置。
【請求項４】
前記記憶手段は、
前記自装置の動き方向に対応してコンテンツの再生方法を記憶し、
前記自装置の動きのテンポに対応してコンテンツが属するジャンルを記憶することを特徴とする、請求項２に記載のコンテンツ記憶再生装置。
【請求項５】
前記コンテンツの種類は、少なくとも、動画像データ、音楽データ、文書データ、および静止画像データの少なくとも１つを含むことを特徴とする、請求項１から４のいずれかに記載のコンテンツ記憶再生装置。
【請求項６】
サーバ装置と、前記サーバ装置とネットワークを介して接続可能なコンテンツ再生装置とを備えるネットワークシステムであって、
前記サーバ装置は、
コンテンツ種類毎に、前記コンテンツ再生装置の動きに対応するコンテンツの再生方法に関する情報を記憶する記憶手段と、
前記記憶手段に記憶されている情報を、前記コンテンツ再生装置に送信する送信手段とを備え、
前記コンテンツ再生装置は、
前記送信手段から送信される情報を受信する受信手段と、
ユーザ操作によって再生させるコンテンツの種類を受け付ける再生コンテンツ種類受付手段と、
前記コンテンツ再生装置の動きを検知する動き検知手段と、
前記再生コンテンツ種類受付手段によって受け付けられたコンテンツの種類および前記動き検知手段によって検知された前記コンテンツ再生装置の動きに基づいて、前記受信手段によって受信された情報からコンテンツの再生方法を判定する判定手段と、
前記再生コンテンツ種類受付手段によって受け付けられたコンテンツの種類に属するコンテンツを、前記判定手段によって判定されたコンテンツの再生方法で再生する再生手段とを備える、ネットワークシステム。
【請求項７】
前記記憶手段は、前記コンテンツ再生装置の動きに対応するコンテンツが属するジャンルを記憶しており、
前記判定手段は、前記動き検知手段によって検知された前記コンテンツ再生装置の動きに基づいて、前記受信手段によって受信された情報からジャンルを判定し、
前記再生手段は、前記再生コンテンツ種類受付手段によって受け付けられたコンテンツの種類に属するコンテンツのうち、前記判定手段によって判定されたジャンルに属するコンテンツを再生することを特徴とする、請求項６に記載のネットワークシステム。
【請求項８】
前記コンテンツ再生装置の動きは、動き方向および／または動きのテンポであることを特徴とする、請求項６に記載のネットワークシステム。
【請求項９】
前記記憶手段は、
前記コンテンツ再生装置の動き方向に対応してコンテンツの再生方法を記憶し、
前記コンテンツ再生装置の動きのテンポに対応してコンテンツが属するジャンルを記憶することを特徴とする、請求項７に記載のネットワークシステム。
【請求項１０】
前記コンテンツの種類は、動画像データ、音楽データ、文書データ、および静止画像データの少なくとも１つを含むことを特徴とする、請求項６から９のいずれかに記載のネットワークシステム。
【発明の詳細な説明】
【技術分野】
【０００１】
本発明は、コンテンツ記憶再生装置、および当該コンテンツ記憶再生装置とサーバ装置とからなるネットワークシステムに関する。
【背景技術】
【０００２】
従来から、動画や音楽などのコンテンツを記憶して再生するコンテンツ記憶再生装置が公知になっている。そして、携帯端末などにおいて、携帯端末の動きを検出することにより楽曲などのコンテンツの再生を行う技術が公知になっている。
【０００３】
たとえば、特開２００６−３１８１８２号公報（特許文献１）には、複数の音声または楽曲から選択した音声または楽曲を再生する携帯再生装置が開示されている。携帯再生装置は、携帯再生装置の動きを検出して入力する動きデータ入力部と、複数の音声または楽曲に関する音情報を格納する音情報格納部と、前記動きデータ入力部で入力した動きデータと、前記音情報格納部に格納された音声データまたは楽曲データとを比較して、該動きデータに類似した音声または楽曲を検索結果として出力する判定部と、前記判定部で出力された検索結果のメタデータを表示する表示部と、前記判定部で出力された検索結果の音声データまたは楽曲データを再生する再生部とを備えている。
【０００４】
また、特開２００７−２８０４６１号公報（特許文献２）には、コンテンツ再生装置の本体に設定した軸の傾斜角を検出することにより、その検出結果に応じてコンテンツ検索のためのアルバムリストのスクロール、コンテンツリスト上でのカーソル移動、スクロールが行われるように構成されたコンテンツ再生装置が開示されている。これにより、例えば物理的なキー操作などを行うことなく、コンテンツ再生装置の本体に与えた所定の傾斜姿勢に応じて、コンテンツ検索のための操作が行えるようにする。
【０００５】
また、特開２００１−２９２４１０号公報（特許文献３）には、取材を行うための撮像装置と、撮像装置に対してメタデータを送出する携帯型電話機と、メタデータを送信するデータ管理装置と、データ管理装置からのメタデータを携帯型電話機へと送信する基地局とを備えるデータ受信装置が開示されている。撮像装置は、映像及び音声を入力する画像音声入力部と、撮像装置の操作等を行う操作部と、マイクロコンピュータのＯＳ等が記録されるＨＤＤと、記録媒体に対して少なくとも映像及び音声を記録する記録部と、映像及び音声データと他のデータとを多重化するマルチプレクサと、主としてメタデータを記憶するメモリと、携帯型電話機との間の無線インターフェイスであるデバイスと、ＧＰＳ信号を受信して位置情報を検出するＧＰＳ受信部と、ＧＰＳ信号を受信するためのアンテナと、各構成を統括して制御するマイクロコンピュータとを備える。
【０００６】
また、特開２００５−３３２１１８号公報（特許文献４）には、電話機本体に与えられた振動又は衝撃又は質量の支持体の変位という動きを検出する振動センサ又は加速度センサ又は変位センサを用いた動き検出手段を設けた携帯電話機が開示されている。携帯電話機は、この動き検出手段の検出信号から動きの与え方を示す動きデータを動きデータ生成手段を用いて検出し、生成する。入力情報識別手段は、動きデータから動きの与え方に関する２以上の属性の内の一つを識別し、この識別された属性に対応する情報を制御装置の処理手段に入力する。これにより、表示部への表示処理やテキスト文記入処理、発呼、着呼応答等を行う処理手段に対して、ボタンを操作せずに、表示スクロールやページ送り／戻し、改行、漢字変換、発呼、着呼応答等を指示する複数の情報入力を行う。
【０００７】
また、特開２００６−３０９６１７号公報（特許文献５）には、コンテンツのブラウジングがスムーズに行え、しかも表示の制御モードを切り替えることができるコンテンツ送信装置、コンテンツ表示装置が開示されている。同時発生検出部は、携帯端末の動きを示す動きパラメータηのパン成分が予め記憶した閾値より大きくかつ撮像方向への動きを示す動きパラメータηｄが予め記憶した閾値よりも大きいか否かを判定し判定結果Ｋ１を得る。制御モード判定部は、現在の制御モードがどの制御モードかを判定し判定結果Ｋ２を得る。制御モード決定部は、判定結果Ｋ１、Ｋ２により制御モードを決定する。
【特許文献１】特開２００６−３１８１８２号公報
【特許文献２】特開２００７−２８０４６１号公報
【特許文献３】特開２００１−２９２４１０号公報
【特許文献４】特開２００５−３３２１１８号公報
【特許文献５】特開２００６−３０９６１７号公報
【発明の開示】
【発明が解決しようとする課題】
【０００８】
しかしながら、コンテンツ記憶再生装置にユーザが所望する属性を有するコンテンツを再生させることは容易ではない。たとえば、特開２００６−３１８１８２号公報（特許文献１）に記載の携帯再生装置においては、動きデータに類似した楽曲を選択する必要があるため、当該楽曲を選択するための計算量が多くなってしまう。
【０００９】
本発明は上記の不具合を解消するためになされたものであって、本発明の主たる目的は、ユーザが所望する属性を有するコンテンツを容易に選択して再生できる構成を備えることによって、コンテンツ記憶再生装置の操作性をさらに向上させることである。
【課題を解決するための手段】
【００１０】
この発明のある局面に従うコンテンツ記憶再生装置は、コンテンツ種類毎に、自装置の動きに対応するコンテンツの再生方法を記憶する記憶手段と、ユーザ操作によって再生させるコンテンツの種類を受け付ける再生コンテンツ種類受付手段と、自装置の動きを検知する動き検知手段と、再生コンテンツ種類受付手段によって受け付けられたコンテンツの種類および動き検知手段によって検知された自装置の動きに基づいて、記憶手段に記憶されているコンテンツの再生方法を判定する判定手段と、再生コンテンツ種類受付手段によって受け付けられたコンテンツの種類に属するコンテンツを、判定手段によって判定されたコンテンツの再生方法で再生する再生手段とを備える。
好ましくは、記憶手段は、自装置の動きに対応するコンテンツが属するジャンルを記憶しており、判定手段は、動き検知手段によって検知された自装置の動きに基づいて、記憶手段に記憶されているジャンルを判定し、再生手段は、再生コンテンツ種類受付手段によって受け付けられたコンテンツの種類に属するコンテンツのうち、判定手段によって判定されたジャンルに属するコンテンツを再生することを特徴とする。
好ましくは、自装置の動きは、動き方向および／または動きのテンポであることを特徴とする。
好ましくは、記憶手段は、自装置の動き方向に対応してコンテンツの再生方法を記憶し、自装置の動きのテンポに対応してコンテンツが属するジャンルを記憶することを特徴とする。
好ましくは、コンテンツの種類は、動画像データ、音楽データ、文書データ、および静止画像データの少なくとも１つを含むことを特徴とする。
この発明の他の局面に従う、サーバ装置と、サーバ装置とネットワークを介して接続可能なコンテンツ再生装置とを備えるネットワークシステムでは、サーバ装置は、コンテンツ種類毎に、コンテンツ再生装置の動きに対応するコンテンツ再生方法に関する情報を記憶する記憶手段と、記憶手段に記憶されている情報を、コンテンツ再生装置に送信する送信手段とを備える。
コンテンツ再生装置は、送信手段から送信される情報を受信する受信手段と、ユーザ操作によって再生させるコンテンツの種類を受け付ける再生コンテンツ種類受付手段と、コンテンツ再生装置の動きを検知する動き検知手段と、再生コンテンツ種類受付手段によって受け付けられたコンテンツの種類および動き検知手段によって検知されたコンテンツ再生装置の動きに基づいて、受信手段によって受信された情報からコンテンツの再生方法を判定する判定手段と、再生コンテンツ種類受付手段によって受け付けられたコンテンツの種類に属するコンテンツを、判定手段によって判定されたコンテンツの再生方法で再生する再生手段とを備える。
好ましくは、記憶手段は、コンテンツ再生装置の動きに対応するコンテンツが属するジャンルを記憶しており、判定手段は、動き検知手段によって検知されたコンテンツ再生装置の動きに基づいて、受信手段によって受信された情報からジャンルを判定し、再生手段は、再生コンテンツ種類受付手段によって受け付けられたコンテンツの種類に属するコンテンツのうち、判定手段によって判定されたジャンルに属するコンテンツを再生することを特徴とする。
好ましくは、コンテンツ再生装置の動きは、動き方向および／または動きのテンポであることを特徴とする。
好ましくは、記憶手段は、コンテンツ再生装置の動き方向に対応してコンテンツの再生方法を記憶し、コンテンツ再生装置の動きのテンポに対応してコンテンツが属するジャンルを記憶することを特徴とする。
好ましくは、コンテンツの種類は、動画像データ、音楽データ、文書データ、および静止画像データの少なくとも１つを含むことを特徴とする。
【発明の効果】
【００２１】
以上のように、この発明によれば、ユーザが所望する属性を有するコンテンツを容易に選択して再生できる構成を備えることによって、コンテンツ記憶再生装置の操作性をさらに向上させることができる。
【発明を実施するための最良の形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
＜全体構成＞
まず、本実施の形態に係るコンテンツ記憶再生装置の全体構成について説明する。本実施の形態に係るコンテンツ記憶再生装置は、動画データや音楽データや文書データや静止画像データなどのコンテンツ情報を記憶し、動画像や音楽などのコンテンツを再生したり、文書や静止画像などのコンテンツを表示するための装置であって、代表的に、携帯電話１００などのようなモバイル型の携帯情報端末によって実現される。そして、コンテンツ記憶再生装置において行われるコンテンツ情報の記憶処理や、コンテンツの再生処理は、代表的に、携帯電話１００などのような携帯情報端末上で実行されるソフトウェアによって実現される。
【００２４】
ここで、コンテンツとは、動画や音楽や文書や静止画などを含む概念である。コンテンツ情報は、コンテンツの内容を示す本体情報と、コンテンツの属性を示す属性情報とを含む。より詳細には、コンテンツ情報は、属性情報を示すメタ情報を含む。そして、コンテンツの本体情報は、動画像データ、音楽データ、文書データ、静止画像データのいずれかを含む。属性情報は、対応するコンテンツが属するジャンルや曲名やアーティスト名などに関する情報を含む。
【００２５】
以下では、コンテンツ記憶再生装置の実施の形態に係る携帯電話１００の全体構成について説明する。図１は本実施の形態に係る携帯電話１００を示す外観斜視図である。図１を参照して、携帯電話１００は、第１の筐体１１６と、第２の筐体１１７と、スピーカ１７３と、モニタ１５０と、カメラ１４２と、操作部１２０と、マイク１７２とを含む。第１の筐体１１６と第２の筐体１１７とは、接続部１１８にて折畳み可能に接続されている。図１には、携帯電話１００として、代表的に折畳式の携帯電話を示すが、このような形式に限定されるものではない。
【００２６】
次に、本実施の形態に係る携帯電話１００のハードウェア構成について説明する。図２は本実施の形態に係る携帯電話１００のハードウェア構成を示すブロック図である。図２を参照して、本実施の形態に係る携帯電話１００は、アンテナ１０２と、アンテナ１０２にて受信された無線信号の入力を受ける無線通信部１０１と、データを格納するＲＡＭ(Random Access Memory)１０６と、制御プログラムなどを格納するＲＯＭ(Read Only Memory)１０７と、携帯電話１００の動きを検知する加速度センサ１０３と、外部から各種指令の入力を受け付ける操作部１２０と、携帯電話１００の各動作を制御するための制御装置１０５と、画像を表示するためのモニタ１５０と、外部（ユーザ）からの音声が入力されるマイク１７２と、制御装置１０５から出力された電気信号（音声信号）に基づいて音声を出力するスピーカ１７３と、着脱自在のメモリ１０９と制御装置１０５との間でデータの受け渡しを行うメモリインターフェイス１０８と、制御装置１０５から出力された電気信号を外付けされたイヤホン１１２に出力するためのイヤホンインターフェイス１１１とを備える。
【００２７】
無線通信部１０１は、制御装置１０５からの制御指令に応じて、制御装置１０５から出力されるデジタルの送話音声データを送話音声信号へと変換し、アンテナ１０２を介して無線信号（送話音声信号）を発信する。そして、無線通信部１０１は、制御装置１０５からの制御指令に応じて、アンテナ１０２を介して外部からの無線信号（受話音声信号）を受信し、受話音声信号をデジタルの受話音声データへと変換して制御装置１０５へ入力する。
【００２８】
制御装置１０５は、たとえばＣＰＵ（Central Processing Unit）やその他の演算処理装置から構成されるものである。制御装置１０５と他の構成要素とは信号線を介して相互に接続されている。制御装置１０５は、無線通信部１０１などの他の構成要素と連係しながら、携帯電話１００が有する通話機能を実現する。また、制御装置１０５は、携帯電話１００の各要素を制御するものであって、操作部１２０から入力される指令に基づいて各種の演算を実施する装置である。
【００２９】
操作部１２０は、機能キー群１２１やテンキー群１２２から構成されるものであって、ユーザからの各種命令や各種情報を受け付けて、制御装置１０５へ出力する。
【００３０】
モニタ１５０は、液晶パネルやＣＲＴから構成されるものであって、制御装置１０５が出力したポインタや文字やイラストなどから構成される情報を表示する。また、モニタ１５０は、制御装置１０５が出力した文書データや画像データなどに基づいて、文書や画像を表示する。
【００３１】
マイク１７２は、ユーザからの送話音声を受け付けて、送話音声信号に変換し、当該送話音声信号を制御装置１０５に入力する。
【００３２】
スピーカ１７３は、制御装置１０５が出力した音楽や動画の音声データに基づいて音声を出力する。ただし、携帯電話１００は、筐体１１６，１１７の外側に設けられた図示しないスピーカを介して、音声を出力する構成であってもよい。
【００３３】
イヤホンインターフェイス１１１は、制御装置１０５が出力した音楽や動画の音声データに基づいて、イヤホン１１２を介して音声を出力する。
【００３４】
＜コンテンツ記憶再生装置の機能構成＞
図３は本実施の形態に係る携帯電話１００の機能構成を示すブロック図である。図３に示すように、本実施の形態に係る携帯電話１００は、加速度センサ１０３と、無線通信部１０１と、メモリインターフェイス１０８と、入力部１０５−１と、抽出部１０５−２と、解析部１０５−３と、再生部１０５−４と、記憶部１０７−１と、操作部１２０と、モニタ１５０と、イヤホンインターフェイス１１１と、イヤホン１１２とを含む。
【００３５】
本実施の形態に係る携帯電話１００においては、以下に説明する機能ブロックの各々が、制御装置１０５が有する機能の一部として実現されるものである。すなわち、記憶部１０７−１に以下の機能を実現するための制御プログラムが記憶されており、制御装置１０５が記憶部１０７−１から制御プログラムを読み出して実行することによって、以下の機能ブロックを実現する。ただし、以下に説明する機能ブロックの各々が、専用のハードウェア回路などによって実現される構成であってもよい。
【００３６】
以下、各機能について説明する。まず、前述したように、加速度センサ１０３は、たとえば、ＭＥＭＳ（Micro-Electro-Mechanical Systems）の３軸加速度センサによって実現され、携帯電話１００の動きを検知するものである。本実施の形態に係る加速度センサ１０３は、携帯電話１００自体の移動方向や加速度などを検知する。
【００３７】
記憶部１０７−１は、ＲＯＭ１０７あるいはＲＡＭ１０６によって実現されるものであって、コンテンツの本体情報とコンテンツの属性を示す属性情報とをコンテンツを特定するためのＩＤ情報に対応付けて記憶する。そして、記憶部１０７−１は、音楽データベース１０７−１ａ、アルバムデータベース１０７−１ｂ、音楽アーティストデータベース１０７−１ｃ、音楽ジャンルデータベース１０７−１ｄ、テンポデータベース１０７−１ｅ，方向データベース１０７−１ｆ、文書データベース１０７−１ｇ、文書アーティストデータベース１０７−１ｈ、文書ジャンルデータベース１０７−ｊ、動画データベース１０７−１ｋ、出演者データベース１０７−１ｍ、動画ジャンルデータベース１０７−１ｎなどの各種のデータベースを格納する。
【００３８】
以下、記憶部１０７−１に記憶されているデータについて説明する。本実施の形態に係る記憶部１０７−１には、コンテンツ情報から抽出されたメタ情報に含まれる曲名、アルバム名、ジャンル、アーティスト名などが、各々の音楽コンテンツに対応付けて記憶されている。記憶部１０７−１には、コンテンツ情報から抽出されたメタ情報に含まれる文書名、ジャンル、アーティスト名などが、各々の文書コンテンツに対応付けて記憶されている。記憶部１０７−１には、コンテンツ情報から抽出されたメタ情報に含まれる動画名、ジャンル、出演者名などが、各々の文書コンテンツに対応付けて記憶されている。
【００３９】
図４は音楽データベース１０７−１ａの内容を示すイメージ図である。図４に示すように、音楽データベース１０７−１ａは、コンテンツの属性を示す属性情報をコンテンツを特定するためのＩＤ情報に対応付けて記憶する。ここで、音楽データ自体は、ＩＤ情報に対応付けられて記憶部１０７−１に記憶されている。具体的には、記憶部１０７−１は、ＩＤ情報に対応付けて、音楽データと、曲名と、アルバムＩＤと、ジャンルＩＤと、アーティストＩＤとを記憶する。
【００４０】
図５はアルバムデータベース１０７−１ｂの内容を示すイメージ図である。図５に示すように、アルバムデータベース１０７−１ｂは、アルバム名をアルバムＩＤに対応させて記憶する。
【００４１】
図６はアーティストデータベース１０７−１ｃの内容を示すイメージ図である。図６に示すように、アーティストデータベース１０７−１ｃは、アーティスト名をアーティストＩＤに対応させて記憶する。
【００４２】
図７は音楽ジャンルデータベース１０７−１ｄの内容を示すイメージ図である。図６に示すように、音楽ジャンルデータベース１０７−１ｄは、ジャンル名をジャンルＩＤに対応させて記憶する。
【００４３】
図４に戻って、音楽データベース１０７−１ａは、各々のコンテンツを特定するためのＩＤ情報に対応付けて、曲名、アルバムＩＤ、ジャンルＩＤ、アーティストＩＤを記憶する。以上のように、記憶部１０７−１は、各々の音楽コンテンツ（本体情報）を、ジャンルＩＤに対応付けて記憶する。
【００４４】
図８はテンポデータベース１０７−１ｅの内容を示すイメージ図である。図８に示すように、テンポデータベース１０７−１ｅは、加速度センサ１０３にて検知される携帯電話１００の動きのテンポと、コンテンツが属するジャンルとを対応付けて記憶する。たとえば、テンポデータベース１０７−１ｅは、早いテンポ（リズム）と、早いテンポ（リズム）の音楽が属するジャンルとを対応付けて記憶する。たとえば、テンポデータベース１０７−１ｅは、ゆったりしたテンポ（リズム）と、ゆったりしたテンポ（リズム）の音楽が属するジャンルとを対応付けて記憶する。たとえば、テンポデータベース１０７−１ｅは、不規則なテンポ（リズム）と、不規則なテンポ（リズム）の音楽が属するジャンルとを対応付けて記憶する。
【００４５】
また、たとえば、テンポデータベース１０７−１ｅは、早いテンポ（リズム）と、アクション映画のジャンルとを対応付けて記憶する。たとえば、テンポデータベース１０７−１ｅは、ゆったりしたテンポ（リズム）と、恋愛映画が属するジャンルとを対応付けて記憶する。たとえば、テンポデータベース１０７−１ｅは、不規則なテンポ（リズム）と、コメディー映画が属するジャンルとを対応付けて記憶する。
【００４６】
また、たとえば、テンポデータベース１０７−１ｅは、早いテンポ（リズム）と、推理小説のジャンルとを対応付けて記憶する。たとえば、テンポデータベース１０７−１ｅは、ゆったりしたテンポ（リズム）と、恋愛小説が属するジャンルとを対応付けて記憶する。たとえば、テンポデータベース１０７−１ｅは、不規則なテンポ（リズム）と、コメディー漫画が属するジャンルとを対応付けて記憶する。
【００４７】
図９は方向データベース１０７−１ｆの内容を示すイメージ図である。図９に示すように、方向データベース１０７−１ｆは、携帯電話１００の動きの方向と再生方法とを対応付けて記憶する。たとえば、方向データベース１０７−１ｆは、携帯電話１００の上下方向の動きと通常再生とを対応づけて記憶し、携帯電話１００の左右方向の動きとランダム再生とを対応づけて記憶し、携帯電話１００の前後方向の動きとリピート（繰り返し）再生とを対応づけて記憶する。
【００４８】
図１０は文書データベース１０７−１ｇの内容を示すイメージ図である。図１０に示すように、文書データベース１０７−１ｇは、コンテンツの属性を示す属性情報をコンテンツを特定するためのＩＤ情報に対応付けて記憶する。ここで、文書データ自体は、ＩＤ情報に対応付けられて記憶部１０７−１に記憶されている。具体的には、記憶部１０７−１は、ＩＤ情報に対応付けて、文書データと、文書名と、ジャンルＩＤと、アーティストＩＤとを記憶する。
【００４９】
図１１はアーティストデータベース１０７−１ｈの内容を示すイメージ図である。図１１に示すように、アーティストデータベース１０７−１ｈは、アーティスト名をアーティストＩＤに対応させて記憶する。
【００５０】
図１２は文書ジャンルデータベース１０７−１ｊの内容を示すイメージ図である。図１２に示すように、ジャンルデータベース１０７−１ｊは、ジャンル名をジャンルＩＤに対応させて記憶する。
【００５１】
図１０に戻って、文書データベース１０７−１ｇは、各々のコンテンツを特定するためのＩＤ情報に対応付けて、文書名、ジャンルＩＤ、アーティストＩＤを記憶する。以上のように、記憶部１０７−１は、各々のコンテンツ（本体情報）を、ジャンルＩＤに対応付けて記憶する。
【００５２】
図１３は動画データベース１０７−１ｋの内容を示すイメージ図である。図１３に示すように、動画データベース１０７−１ｋは、コンテンツの属性を示す属性情報をコンテンツを特定するためのＩＤ情報に対応付けて記憶する。ここで、動画データ自体は、ＩＤ情報に対応付けられて記憶部１０７−１に記憶されている。具体的には、記憶部１０７−１は、ＩＤ情報に対応付けて、動画データと、動画名と、ジャンルＩＤと、出演者ＩＤとを記憶する。
【００５３】
図１４は出演者データベース１０７−１ｍの内容を示すイメージ図である。図１１に示すように、出演者データベース１０７−１ｍは、出演者名を出演者ＩＤに対応させて記憶する。
【００５４】
図１５は動画ジャンルデータベース１０７−１ｎの内容を示すイメージ図である。図１２に示すように、動画ジャンルデータベース１０７−１ｎは、ジャンル名をジャンルＩＤに対応させて記憶する。
【００５５】
図１３に戻って、動画データベース１０７−１ｋは、各々のコンテンツを特定するためのＩＤ情報に対応付けて、動画名、ジャンルＩＤ、出演者ＩＤを記憶する。以上のように、記憶部１０７−１は、各々のコンテンツ（本体情報）を、ジャンルＩＤに対応付けて記憶する。
【００５６】
図３に戻って、入力部１０５−１と、抽出部１０５−２と、解析部１０５−３と、再生部１０５−４とは、たとえばＲＯＭ１０７からＲＡＭ１０６へと読み出されたプログラムがＣＰＵなどの制御装置１０５上で実行されることによって実現される。より詳細には、ＲＯＭ１０７に記憶された制御プログラムが一旦ＲＡＭ１０６へと読み出されて、ＣＰＵなどの制御装置１０５がＲＡＭ１０６から制御プログラムを読み出しながら順次実行することによって、以下のコンテンツ情報記憶処理やコンテンツ再生処理などの機能が実現される。
【００５７】
このようにして、入力部１０５−１は、制御装置１０５にて実行される制御プログラムなどによって実現される。入力部１０５−１は、メモリインターフェイス１０８を介して外部の記憶媒体（たとえば着脱自在のメモリ１０９）から読み出されるコンテンツ情報を受け付ける。入力部１０５−１は、ネットワークや無線通信部１０１を介して外部のサーバなどからコンテンツ情報を受け付ける。入力部１０５−１は、制御装置１０５にて実行される制御プログラムとメモリインターフェイス１０８によって実現されるものであってもよいし、制御装置１０５にて実行される制御プログラムと無線通信部１０１によって実現されるものであってもよい。
【００５８】
抽出部１０５−２は、入力部１０５−１を介して、本体情報と属性情報とを含むコンテンツ情報が入力された際に、コンテンツ情報から本体情報と属性情報とを抽出する。抽出部１０５−２は、抽出した属性情報をＩＤ情報に対応付けて音楽データベース１０７−１ａあるいは文書データベース１０７−１ｇあるいは動画データベース１０７−１ｋに記憶させる。より詳細には、抽出部１０５−２は、コンテンツ情報からメタ情報を抽出することによって、メタ情報に含まれるコンテンツの属性を示す属性情報をＩＤ情報に対応付けて音楽データベース１０７−１ａあるいは文書データベース１０７−１ｇあるいは動画データベース１０７−１ｋに記憶する。
【００５９】
ここで、音楽データベース１０７−１ａあるいは文書データベース１０７−１ｇあるいは動画データベース１０７−１ｋに記憶すべきメタ情報（属性情報）がコンテンツ情報から抽出できなかった場合に、携帯電話１００のユーザに不足したメタ情報（属性情報）の入力を促がす構成であってもよい。たとえば、制御装置１０５が、コンテンツ情報からコンテンツが属するジャンルが抽出できなかった場合に、モニタ１５０を介してユーザにコンテンツが属するジャンルを入力するように警告を表示してもよい。
【００６０】
解析部１０５−３は、加速度センサ１０３にて検知された携帯電話１００の動きに基づいて、テンポデータベース１０７−１ｅを参照して携帯電話１００の動きに対応する属性情報を含む再生命令を生成する。より詳細には、解析部１０５−３は、加速度センサ１０３が検知する携帯電話１００の加速度から、携帯電話１００が振られているテンポ（リズム）を取得する。たとえば、解析部１０５−３は、携帯電話１００が何秒間隔で振られているか、規則正しいテンポで振られているか、どの程度の振幅で振られているかなどを把握する。
【００６１】
解析部１０５−３は、加速度センサ１０３にて検知された動きのテンポに基づいて、テンポデータベース１０７−１ｅから動きのテンポに対応する属性情報を読み出す。解析部１０５−３は、加速度センサ１０３にて検知された動きの方向に基づいて、第３のデータベースから動きの方向に対応する再生方法を読み出す。解析部１０５−３は、再生方法と属性情報とを含む再生命令を生成する。
【００６２】
再生部１０５−４は、属性情報を含む再生命令に基づいて、音楽データベース１０７−１ａから属性情報に対応する本体情報（音楽データ）を読み出してコンテンツを再生する。より詳細には、再生部１０５−４は、再生命令に基づいて、本体情報（音楽データ）から音声データを抽出してイヤホンインターフェイス１１１を介してイヤホン１１２から音声を出力する。
【００６３】
再生部１０５−４は、属性情報を含む再生命令に基づいて、文書データベース１０７−１ｇから属性情報に対応する本体情報（文書データ）を読み出してコンテンツを表示する。より詳細には、再生部１０５−４は、再生命令に基づいて、本体情報（文書データ）から画像データ（テキストデータ）を抽出してモニタ１５０を介して画像（テキスト）を表示する。
【００６４】
再生部１０５−４は、属性情報を含む再生命令に基づいて、動画データベース１０７−１ｋから属性情報に対応する本体情報（動画データ）を読み出してコンテンツを再生する。より詳細には、再生部１０５−４は、再生命令に基づいて、本体情報（動画データ）から画像データを抽出してモニタ１５０を介して画像を表示するともに、本体情報（動画データ）から音声データを抽出してイヤホンインターフェイス１１１を介してイヤホン１１２から音声を出力する。
【００６５】
そして、再生部１０５−４は、操作部１２０からのコンテンツ選択命令を受けて、コンテンツの種類の中から、すなわち、音楽のコンテンツ、文書のコンテンツ、動画のコンテンツ、静止画のコンテンツなどの種類の中から、ユーザが所望するコンテンツの種類を受け付ける。すなわち、再生部１０５−４は、コンテンツ選択命令に応じて、コンテンツの種類を受け付けて、当該コンテンツの種類において、属性情報を含む再生命令に基づいて、音楽データベース１０７−１ａ（文書データベース１０７−１ｇ、動画データベース１０７−１ｋ）から属性情報に対応する本体情報を読み出してコンテンツを再生する。
【００６６】
図１６は、モニタ１５０が表示するコンテンツリストの一覧を示したイメージ図である。図１６に示すように、再生部１０５−４は、操作部１２０からコンテンツリストを表示する命令を受け付けて、記憶部１０７−１に記憶されているコンテンツのリストを表示する。たとえば、再生部１０５−４は、アーティスト順にコンテンツに関する情報をモニタ１５０を介して表示する。
【００６７】
＜コンテンツ情報記憶処理＞
以下では、本実施の形態に係る携帯電話１００で実行されるコンテンツ情報記憶処理について説明する。図１７はコンテンツ情報記憶処理の処理手順を示すフローチャートである。
【００６８】
図１７に示すように、ＣＰＵなどによって実現される制御装置１０５は、着脱自在のメモリ１０９あるいは無線通信部１０１を介して新たなコンテンツ情報が入力されるまで待機する（ステップＳ１０１）。携帯電話１００に新たなコンテンツ情報が入力されると（ステップＳ１０１にてＹＥＳの場合）、制御装置１０５はコンテンツ情報によって記憶部１０７−１のデータが更新されたか否かを判断する（ステップＳ１０２）。記憶部１０７−１のデータ（コンテンツの本体情報）が更新あるいは新規に記録されると（ステップＳ１０２にてＹＥＳの場合）、制御装置１０５は入力されたコンテンツ情報からメタ情報を抽出して、入力されたコンテンツに対応する属性情報（たとえば、ジャンルやアーティスト名など）を取得する（ステップＳ１０３）。制御装置１０５は、取得した属性情報や本体情報に基づいて、音楽データベース１０７−１ａあるいは文書データベース１０７−１ｇあるいは動画データベース１０７−１ｋを更新する（ステップＳ１０４）。
【００６９】
すなわち、本実施の形態に係る携帯電話１００は、新たなコンテンツ情報が入力された際に、コンテンツ情報にメタ情報として含まれているコンテンツの属性情報が抽出されて、コンテンツ情報に含まれる本体情報が記憶部１０７−１に記憶されるとともに、属性情報に基づいて各種データベース１０７−１ａ，１０７−１ｂ・・・が更新される。
【００７０】
＜コンテンツ再生処理＞
以下では、本実施の形態に係る携帯電話１００で実行されるコンテンツ再生処理について説明する。図１８はコンテンツ再生処理の処理手順を示すフローチャートである。図１８に示すように、制御装置１０５が操作部１２０を介してコンテンツの種類の選択を受け付けると（ステップＳ２０１）、制御装置１０５は音楽モード（音楽コンテンツの再生）が選択されたか否かを判断する（ステップＳ２０２）。
【００７１】
操作部１２０にて音楽モードが選択された場合には（ステップＳ２０２にてＹＥＳの場合）、制御装置１０５は、加速度センサ１０３を介して携帯電話１００の動きの方向およびテンポ（リズム）を検出する（ステップＳ２０３）。制御装置１０５は、携帯電話１００の動きの方向に基づき、方向データベース１０７−１ｆを参照して再生方法（再生モード）を決定する（ステップＳ２０４）。制御装置１０５は、携帯電話１００の動きのテンポに基づき、テンポデータベース１０７−１ｅを参照してジャンルを決定する（ステップＳ２０５）。制御装置１０５は、再生方法とジャンルとに基づいて、再生するコンテンツと再生する順序などを決定する（ステップＳ２０６）。制御装置１０５は、イヤホンインターフェイス１１１とイヤホン１１２とを介して音楽コンテンツを再生する（ステップＳ２０７）。
【００７２】
操作部１２０にて音楽モードが選択されなかった場合には（ステップＳ２０２にてＮＯの場合）、制御装置１０５は、動画モード（動画コンテンツの再生）が選択されたか否かを判断する（ステップＳ２０８）。動画モードが選択された場合（ステップＳ２０８にてＹＥＳの場合）、制御装置１０５は、加速度センサ１０３を介して携帯電話１００の動きの方向およびテンポ（リズム）を検出する（ステップＳ２０９）。制御装置１０５は、携帯電話１００の動きの方向に基づき、方向データベース１０７−１ｆを参照して再生方法（再生モード）を決定する（ステップＳ２１０）。制御装置１０５は、携帯電話１００の動きのテンポに基づき、テンポデータベース１０７−１ｅを参照してジャンルを決定する（ステップＳ２１１）。制御装置１０５は、再生方法とジャンルとに基づいて、再生するコンテンツと再生する順序とを選択する（ステップＳ２１２）。制御装置１０５は、モニタ１５０を介して動画コンテンツの映像を再生し、イヤホンインターフェイス１１１とイヤホン１１２とを介して動画コンテンツの音声を再生する（ステップＳ２１３）。
【００７３】
操作部１２０にて動画モードが選択されなかった場合には（ステップＳ２０８にてＮＯの場合）、制御装置１０５は、文書モード（文書コンテンツの表示）が選択されたものとみなす。制御装置１０５は、加速度センサ１０３を介して携帯電話１００の動きの方向およびテンポ（リズム）を検出する（ステップＳ２１４）。制御装置１０５は、携帯電話１００の動きの方向に基づき、方向データベース１０７−１ｆを参照して表示方法（表示モード）を決定する（ステップＳ２１５）。制御装置１０５は、携帯電話１００の動きのテンポに基づき、テンポデータベース１０７−１ｅを参照してジャンルを決定する（ステップＳ２１６）。制御装置１０５は、表示方法とジャンルとに基づいて、表示するコンテンツと表示する順序とを選択する（ステップＳ２１７）。制御装置１０５は、モニタ１５０を介して文書コンテンツを表示する（ステップＳ２１８）。
【００７４】
＜その他の実施形態＞
上記の実施形態においては、主に、コンテンツ記憶再生装置の一例である携帯電話１００の構成についての説明を行ったが、以下ではコンテンツ記憶再生装置がコンテンツ情報をネットワークからダウンロードする形態として、コンテンツ記憶再生装置とネットワークとサーバ装置とからなるネットワークシステム１の構成について説明する。
【００７５】
図１９は本実施の形態に係るネットワークシステム１の全体構成を示す概略図である。図１９に示すように、本実施の形態に係るネットワークシステム１は、携帯電話１００とサーバ装置１０とがネットワーク５０を介して互いに接続可能に構成されている。携帯電話１００の構成は、前述した通りであるためここでは説明を繰り返さない。
【００７６】
図２０は本実施の形態に係るサーバ装置１０のハードウェア構成を示すブロック図である。図２０に示すように、サーバ装置１０は、たとえばパーソナルコンピュータやワークステーションなどによって実現され、ＦＤ（Flexible Disk）駆動装置２１およびＣＤ−ＲＯＭ（Compact Disk-Read Only Memory）駆動装置２３を備えたコンピュータ本体１９と、モニタ１１と、キーボード１３と、マウス１７とを含む。コンピュータ本体１９は、上記したＦＤ駆動装置２１およびＣＤ−ＲＯＭ駆動装置２３に加えて、相互に内部バス１８で接続されたＣＰＵ（Central Processing Unit）１２と、メモリ１４と、固定ディスク１５と、通信インターフェイス１６とを含む。ＦＤ駆動装置２１にはＦＤ２２が装着される。ＣＤ−ＲＯＭ駆動装置２３にはＣＤ−ＲＯＭ２４が装着される。
【００７７】
図２１は本実施の形態に係るサーバ装置１０の機能構成を示すブロック図である。図２１に示すように、サーバ装置１０は、固定ディスクなどによって実現されるサーバ記憶部１５−１を有する。サーバ記憶部１５−１は、コンテンツの本体情報とコンテンツの属性を示す属性情報とを含むコンテンツ情報を記憶する。また、サーバ装置１０は、通信インターフェイス１６などによって実現されるサーバ送信部１６−１を有する。当該サーバ送信部１６−１は、サーバ記憶部１５−１から読み出したコンテンツの本体情報とコンテンツの属性を示す属性情報（メタ情報）とを含むコンテンツ情報を携帯電話１００に送信する。
【００７８】
そして、サーバ装置１０は、ＣＰＵ１２などによって実現されるサーバ制御装置１２−１を有する。サーバ制御装置１２−１は、サーバ記憶部１５−１に記憶されている制御プログラムを実行することによって、メタ情報生成部１２−２の機能を発揮する。メタ情報生成部１２−２は、サーバ記憶部１５−１に記憶されているコンテンツの本体情報、またはＣＤ−ＲＯＭ駆動装置２３などによって実現されるサーバ入力部２３−１に新たに入力されるコンテンツの本体情報に基づいて、当該コンテンツが属するジャンルなどの属性情報を生成する。たとえば、サーバ記憶部１５−１から音楽コンテンツを読み出して、当該音楽コンテンツがどのようなリズムを有し、当該音楽コンテンツがどのようなジャンルに属するべきかを決定して、当該ジャンルと当該コンテンツとを対応付けてサーバ記憶部１５−１に記憶する。
【００７９】
このようにして、携帯電話１００は、各々のコンテンツの属性情報を示すメタ情報を含んだコンテンツ情報をサーバ装置１０から受信して、コンテンツ情報から本体情報と属性情報とを抽出して、本体情報と属性情報とを対応付けて記憶部１０７−１に記憶させる。
【００８０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【００８１】
【図１】本実施の形態に係る携帯電話を示す外観斜視図である。
【図２】本実施の形態に係る携帯電話のハードウェア構成を示すブロック図である。
【図３】本実施の形態に係る携帯電話の機能構成を示すブロック図である。
【図４】音楽データベースの内容を示すイメージ図である。
【図５】アルバムデータベースの内容を示すイメージ図である。
【図６】アーティストデータベースの内容を示すイメージ図である。
【図７】音楽ジャンルデータベースの内容を示すイメージ図である。
【図８】テンポデータベースの内容を示すイメージ図である。
【図９】方向データベースの内容を示すイメージ図である。
【図１０】文書データベースの内容を示すイメージ図である。
【図１１】アーティストデータベースの内容を示すイメージ図である。
【図１２】文書ジャンルデータベースの内容を示すイメージ図である。
【図１３】動画データベースの内容を示すイメージ図である。
【図１４】出演者データベースの内容を示すイメージ図である。
【図１５】動画ジャンルデータベースの内容を示すイメージ図である。
【図１６】モニタが表示するコンテンツリストの一覧を示したイメージ図である。
【図１７】コンテンツ情報記憶処理の処理手順を示すフローチャートである。
【図１８】コンテンツ再生処理の処理手順を示すフローチャートである。
【図１９】本実施の形態に係るネットワークシステムの全体構成を示す概略図である。
【図２０】本実施の形態に係るサーバ装置のハードウェア構成を示すブロック図である。
【図２１】本実施の形態に係るサーバ装置の機能構成を示すブロック図である。
【符号の説明】
【００８２】
１  ネットワークシステム、１０  サーバ装置、１１  モニタ、１３  キーボード、１４  メモリ、１５  固定ディスク、１５−１  サーバ記憶部、１６  通信インターフェイス、１６−１  サーバ送信部、１７  マウス、１８  内部バス、１９  コンピュータ本体、５０  ネットワーク、１００  携帯電話、１０１  無線通信部、１０２  アンテナ、１０３  加速度センサ、１０５  制御装置、１０５−１  入力部、１０５−２  抽出部、１０５−３  解析部、１０５−４  再生部、１０７−１  記憶部、１０７−１ａ  音楽データベース、１０７−１ｅ  テンポデータベース、１０７−１ｆ  方向データベース、１０７−１ｎ  動画ジャンルデータベース、１０８  メモリインターフェイス、１０９  メモリ、１１１  イヤホンインターフェイス、１１２  イヤホン、１２０  操作部、１２１  機能キー群、１２２  テンキー群、１４２  カメラ、１５０  モニタ、１７２  マイク、１７３  スピーカ。
【図１】
0005262137.tif 000002
【図２】
0005262137.tif 000003
【図３】
0005262137.tif 000004
【図４】
0005262137.tif 000005
【図５】
0005262137.tif 000006
【図６】
0005262137.tif 000007
【図７】
0005262137.tif 000008
【図８】
0005262137.tif 000009
【図９】
0005262137.tif 000010
【図１０】
0005262137.tif 000011
【図１１】
0005262137.tif 000012
【図１２】
0005262137.tif 000013
【図１３】
0005262137.tif 000014
【図１４】
0005262137.tif 000015
【図１５】
0005262137.tif 000016
【図１６】
0005262137.tif 000017
【図１７】
0005262137.tif 000018
【図１８】
0005262137.tif 000019
【図１９】
0005262137.tif 000020
【図２０】
0005262137.tif 000021
【図２１】
0005262137.tif 000022